(57)【要約】【課題】本発明は、エアゾール容器の内容物を噴射することができる噴射装置を筆記具形にして、筆記具を持つように手で保持し、サイドノックボタンを押し圧することによりエアゾール容器の内容物を噴射させ、狭い範囲の被塗布面に正確に塗布することや、細い文字や細かな絵・細かなパターンを描くことができるサイドノック式エアゾール噴射装置を得るにある。【解決手段】塗料等の内容物が充填され、噴射ステムを有する筆記具程度の太さのエアゾール容器と、このエアゾール容器を収容するとともに、前記噴射ステムを先端から露出させて外観を筆記具形に形成した本体と、この本体のサイド面に押し圧可能に取付けたノックボタンと、このノックボタンを押し圧することに連動して、前記噴射ステムを押して、内容物を噴射させることができる移動装置とでサイドノック式エアゾール噴射装置を構成している。【選択図】　図３
2004123223.tif 000002
【特許請求の範囲】
【請求項１】
塗料、油脂、接着剤、剥離剤、薬剤等のいずれかの内容物が充填され、押すかあるいは引くかあるいは倒すことにより開弁させ内容物を内部圧により噴射させることができる噴射ステムを端壁に有する筆記具程度の太さのエアゾール容器と、このエアゾール容器を収容するかあるいは、前記エアゾール容器に取付けるかあるいは、前記エアゾール容器と一体形成し、前記噴射ステムを先端から露出させて外観を筆記具形に形成した本体と、この本体のサイド面に押し圧可能に取付けたノックボタンと、このノックボタンを押し圧することに連動して、前記噴射ステムを押すかあるいは引くかあるいは倒して、内容物を噴射させることができる移動装置とからなることを特徴とするサイドノック式エアゾール噴射装置。
【請求項２】
塗料、油脂、接着剤、剥離剤、薬剤等のいずれかの内容物が充填され、押すかあるいは引くかあるいは倒すことにより開弁させ内容物を内部圧により噴射させることができる噴射ステムを端壁に有する筆記具程度の太さのエアゾール容器と、このエアゾール容器を収容するかあるいは、前記エアゾール容器に取付けるかあるいは、前記エアゾール容器と一体形成し、外観を筆記具形に形成した本体と、この本体内にあって一端を前記噴射ステムに取付け他端を前記本体の先端部を貫通して外に露出させ内容物を導いて噴射させることができる噴射管と、前記本体のサイド面に押し圧可能に取付けたノックボタンと、このノックボタンを押し圧することに連動して、前記噴射管とそれに取付けた前記噴射ステムを押すかあるいは引くかあるいは倒して内容物を噴射させることができる移動装置とからなることを特徴とするサイドノック式エアゾール噴射装置。
【請求項３】
塗料、油脂、接着剤、剥離剤、薬剤等のいずれかの内容物が充填され、押すかあるいは引くかあるいは倒すことにより開弁させ内容物を内部圧により噴射させることができる噴射ステムを端壁に有する筆記具程度の太さのエアゾール容器と、このエアゾール容器を収容するかあるいは、前記エアゾール容器に取付けるかあるいは、前記エアゾール容器と一体形成し、外観を筆記具形に形成した本体と、この本体内にあって前記噴射ステムに取付け内容物を導くことができる導管と、この導管に一端をスライド可能に取付け他端を前記本体の先端部を貫通して外に露出させ内容物を導いて噴射させることができる噴射先管と、前記本体のサイド面に押し圧可能に取付けたノックボタンと、このノックボタンを押し圧することに連動して前記導管とそれに取付けた前記噴射ステムを押すかあるいは引くかあるいは倒して内容物を噴射させることができる移動装置とからなることを特徴とするサイドノック式エアゾール噴射装置。
【請求項４】
エアゾール容器を、空気を供給することができるポンプを備えたスプレー容器としたことを特徴とする請求項１、２、３記載のサイドノック式エアゾール噴射装置。
【発明の詳細な説明】
【０００１】
【発明の属する技術分野】
本発明は、エアゾール容器の内容物を噴射させるサイドノック式エアゾール噴射装置に関するものである。
【０００２】
【従来の技術】
従来、エアゾール容器の内容物を噴出する装置において、特開平９−８６５７４、特開平１１−２０８７５１、特開平３２１９４８などのエアゾール式液体噴出容器などがあり、いずれもエアゾール容器に取付けた噴出容器の押釦や、トリガー、押下げヘッドを操作しエアゾール容器の内容物を噴出させている。また、特開平１１−３４８４８８や、特開２０００−１９０６８８などにおいてサイドノック式筆記具があるが、ボールペンやシャープペン用のものである。
【０００３】
【発明が解決しようとする課題】
従来の、エアゾール容器の内容物を噴出する噴出装置により、エアゾール容器内の塗料、油脂、接着剤、剥離剤、薬剤等を噴出させて被塗布面に塗布しても、狭い範囲の被塗布面に正確に塗布することや、細い文字や細かな絵、細かなパターンを描くことは困難であった。
【０００４】
本発明は以上のような従来の欠点に鑑み、エアゾール容器の内容物を噴射することができる噴射装置を筆記具形にして、筆記具を持つように手で保持し、指でサイドノックボタンを押し圧することによりエアゾール容器の内容物を噴射させ、狭い範囲の被塗布面に正確に塗布することや、細い文字や細かな絵、細かなパターンを描くことができるサイドノック式エアゾール噴射装置を提供することを目的としている。
【０００５】
本発明の、前記ならびにそのほかの目的と新規な特徴は次の説明を添付図面と照らし合わせて読むと、より明らかになるであろう。
ただし、図面はもっぱら解説のためのものであって、本発明の技術範囲を限定するものではない。
【０００６】
【課題を解決するための手段】
上記目的を達成するために、請求項１記載の発明は、塗料、油脂、接着剤、剥離剤、薬剤等のいずれかの内容物が充填され、押すかあるいは引くかあるいは倒すことにより開弁させ内容物を内部圧により噴射させることができる噴射ステムを端壁に有する筆記具程度の太さのエアゾール容器と、このエアゾール容器を収容するかあるいは、前記エアゾール容器に取付けるかあるいは、前記エアゾール容器と一体形成し、前記噴射ステムを先端から露出させて外観を筆記具形に形成した本体と、この本体のサイド面に押し圧可能に取付けたノックボタンと、このノックボタンを押し圧することに連動して、前記噴射ステムを押すかあるいは引くかあるいは倒して、内容物を噴射させることができる移動装置とでサイドノック式エアゾール噴射装置を構成している。
【０００７】
請求項２記載の発明は、塗料、油脂、接着剤、剥離剤、薬剤等のいずれかの内容物が充填され、押すかあるいは引くかあるいは倒すことにより開弁させ内容物を内部圧により噴射させることができる噴射ステムを端壁に有する筆記具程度の太さのエアゾール容器と、このエアゾール容器を収容するかあるいは、前記エアゾール容器に取付けるかあるいは、前記エアゾール容器と一体形成し、外観を筆記具形に形成した本体と、この本体内にあって一端を前記噴射ステムに取付け他端を前記本体の先端部を貫通して外に露出させ内容物を導いて噴射させることができる噴射管と、前記本体のサイド面に押し圧可能に取付けたノックボタンと、このノックボタンを押し圧することに連動して、前記噴射管とそれに取付けた前記噴射ステムを押すかあるいは引くかあるいは倒して内容物を噴射させることができる移動装置とでサイドノック式エアゾール噴射装置を構成している。
【０００８】
請求項３記載の発明は、塗料、油脂、接着剤、剥離剤、薬剤等のいずれかの内容物が充填され、押すかあるいは引くかあるいは倒すことにより開弁させ内容物を内部圧により噴射させることができる噴射ステムを端壁に有する筆記具程度の太さのエアゾール容器と、このエアゾール容器を収容するかあるいは、前記エアゾール容器に取付けるかあるいは、前記エアゾール容器と一体形成し、外観を筆記具形に形成した本体と、この本体内にあって前記噴射ステムに取付け内容物を導くことができる導管と、この導管に一端をスライド可能に取付け他端を前記本体の先端部を貫通して外に露出させ内容物を導いて噴射させることができる噴射先管と、前記本体のサイド面に押し圧可能に取付けたノックボタンと、このノックボタンを押し圧することに連動して前記導管とそれに取付けた前記噴射ステムを押すかあるいは引くかあるいは倒して内容物を噴射させることができる移動装置とでサイドノック式エアゾール噴射装置を構成している。
【０００９】
請求項４記載の発明は、請求項１、２、３に係わる発明であり、エアゾール容器を、空気を供給することができるポンプを備えたスプレー容器としてサイドノック式エアゾール噴射装置を構成している。
【００１０】
【発明の実施の形態】
以下、図面に示す実施の形態により、本発明を詳細に説明する。
【００１１】
図１ないし図５に示す本発明の第１の実施形態において、１は塗料、油脂、接着剤、剥離剤、薬剤等のいずれかの内容物が充填された筆記具程度の太さのエアゾール容器で、このエアゾール容器１の端壁には押すことにより開弁させ内容物を内部圧により噴射させることができる噴射ステム２が設けられている。この噴射ステム２には、移動具５ａに当接することができるフランジ２ａが設けられている。３Ａはエアゾール容器１を収容できる外観を筆記具形に形成した本体で、この本体３Ａの内部にはエアゾール容器１を固定するストッパー３ａが設けられ、本体３Ａの先端には先端孔３ｂが開けられており噴射ステム２が貫通して外に露出する。この本体３Ａ後端には、エアゾール容器１を出し入れできるエンドキャップ３ｃが取り付けられる。エアゾール容器１は、エンドキャップ３ｃにより本体３Ａ内に出し入れ自在にすることもできるし、エンドキャップ３ｃなしで、あらかじめエアゾール容器１を本体３Ａの内部に収納しておいても良いし、エンドキャップ３ｃにはエアゾール容器１を押すバネを付けても良い。本体３Ａのサイド面に設けられた窓孔３ｄには、それを貫通してノックボタン４が本体３Ａに取り付けられた枢支ピン４ａにより回動可能に取付けられている。このノックボタン４を押し圧することによりノックボタン４の端部４ｂが移動具５ａの傾斜面５ｂに当接し押し圧しながら、その傾斜面５ｂに沿って移動し、連動して移動具５ａはフランジ２ａを押し圧しながら移動して噴射ステム２をエアゾール容器１側に押しエアゾール容器１の内容物を噴射ステム２の先端から噴射させる移動装置５Ａとから構成されている。
【００１２】
上記構成のサイドノック式エアゾール噴射装置６Ａを使用する場合、筆記具形に形成された本体３Ａを筆記具を持つように手で保持し、噴射ステム２を被塗布面に向け、本体３Ａのサイド面に取り付けたノックボタン４を指で押圧することにより、エアゾール容器１の内容物は噴射ステム２の先端より噴射され被塗布面に塗布される。
したがって、筆記具で文字を書いたり絵を描くように塗料等を被塗布面に噴射し、狭い範囲に正確に塗布することや、小さな文字を書いたり細かな絵、細かなパターンを描くことができる。また、噴射量が少なくできるので、マスキングも小さくて済み、塗料等が無駄にならなく経済的である。また、油脂や接着剤、剥離剤、薬剤等を狭い範囲に塗布したり、精密機械の部品等にも塗布することができる。
【００１３】
【発明の異なる実施の形態】
次に、図６ないし図３０に示す本発明の異なる実施の形態について説明する。なお、これらの本発明の異なる実施の形態の説明に当たって、前記本発明の第１の実施の形態と同一構成部分には同一符号を付して重複する説明を省略する。
【００１４】
図６ないし図９に示す本発明の第２の実施形態において、前記本発明の第１の実施の形態と主に異なる点は、エアゾール容器１に被せて取り付けることができる外観を筆記具形に形成した本体３Ｂとした点と、本体３Ｂの内部にはストッパー３ａが設けられ、本体３Ｂの先端には先端孔３ｂが開けられている点と、本体３Ｂのサイド面に設けられた窓孔３ｄには、それを貫通してノックボタン４が本体３Ｂに取り付けられた枢支ピン４ａにより回動可能に取付けられている点と、噴射ステム２をエアゾール容器１側から引くことによりエアゾール容器１の内容物を噴射ステム２の先端から噴射させる移動装置５Ｂとした点で、このように構成したサイドノック式エアゾール噴射装置６Ｂにしても、前記本発明の第１の実施の形態と同様な作用効果が得られるとともに本体３Ｂをコンパクトにできる。
【００１５】
図１０ないし図１２に示す本発明の第３の実施形態において、前記本発明の第１の実施の形態と主に異なる点は、エアゾール容器１Ａを軸部として、外観を筆記具形に一体形成した本体３Ｃと、本体３Ｃの先端には先端孔３ｂが開けられている点と、エアゾール容器１Ａの端壁１ａと、その端壁１ａを貫通している噴射ステム２に取り付けられ端壁１ａから内容物１ｂが漏れるのを防ぐように閉塞し噴射ステム２の倒れによって開弁して内容物１ｂを噴射ステム２から噴射させることができる開閉弁１ｃが設けられている点と、本体３Ｃのサイド面に設けられた窓孔３ｄには、それを貫通してノックボタン４が本体３Ｃに取り付けられた枢支ピン４ａにより回動可能に取付けられている点と、ノックボタン４を押し圧することによりノックボタン４の端部４ｂが、Ｌ形移動具５ｄの一端を押し圧し、そのＬ形移動具５ｄの他の一端が噴射ステム２を倒してエアゾール容器１の内容物を噴射ステム２の先端から噴射させる移動装置５Ｃとした点で、このように構成したサイドノック式エアゾール噴射装置６Ｃにしても、前記本発明の第１の実施の形態と同様な作用効果が得られるとともに、エアゾール容器１Ａと本体３Ｃを一体として製造できるのでコストが削減できる。
なお、ノックボタン４の端部４ｂを移動装置５Ｃとし、その端部４ｂが直接噴射ステム２を倒して内容物を噴射させてもよい。
【００１６】
図１３ないし図１５に示す本発明の第４の実施形態において、前記本発明の第１の実施の形態と主に異なる点は、エンドキャップ３ｃを用いずに、本体３Ｄと、それを取り付けることができる本体３Ｅでエアゾール容器１を収容し、かつその外観を筆記具形に形成して点と、本体３Ｅの内部にはストッパー３ａが設けられ、本体３Ｅの先端には先端孔３ｂが開けられている点と、噴射ステム２の先端を外に露出させない点と、一端を噴射ステム２に押し圧可能に被せて取付け他端を先端孔３ｂを貫通して外に露出させた噴射管７Ａとした点と、本体３Ｅのサイド面に設けられた窓孔３ｄには、それを貫通してノックボタン４が本体３Ｅに取り付けられた枢支ピン４ａにより回動可能に取付けられている点と、噴射管７Ａには移動具５ａが取り付けられている点と、移動具５ａが移動することにより噴射管７Ａとそれに取付けた噴射ステム２をエアゾール容器１側に押してエアゾール容器１の内容物を噴射ステム２から噴射させ噴射管７Ａで導いてその先端より噴射させることができる移動装置５Ｄとした点で、このように構成したサイドノック式エアゾール噴射装置６Ｄにしても、前記本発明の第１の実施の形態と同様な作用効果が得られるとともに、噴射管７Ａの噴射口を様々な形状にできる。
【００１７】
図１６ないし図１８に示す本発明の第５の実施形態において、前記本発明の第２の実施の形態と主に異なる点は、噴射ステム２の先端を外に露出させない点と、一端を噴射ステム２に被せて取付けるとともに、噴射ステム２に設けられたフランジ２ａに引くことが可能に係止片７ａ、７ａで取付け、他端を先端孔３ｂを貫通して外に露出させた噴射管７Ｂとした点と、その噴射管７Ｂに取り付けた移動具５ａとした点と、その移動具５ａが移動することにより噴射管７Ｂとそれに取付けた噴射ステム２をエアゾール容器１側から引いてエアゾール容器１の内容物を噴射ステム２から噴射させ噴射管７Ｂで導いてその先端より噴射させることができる移動装置５Ｅとした点で、このように構成したサイドノック式エアゾール噴射装置６Ｅにしても、前記本発明の第１、２の実施の形態と同様な作用効果が得られるとともに、噴射管７Ｂの噴射口を様々な形状にできる。
【００１８】
図１９および図２０に示す本発明の第６の実施形態において、前記本発明の第３の実施の形態と主に異なる点は、噴射ステム２の先端を外に露出させない点と、一端を噴射ステム２に被せて取付け、他端を先端孔３ｂを貫通して外に露出させた噴射管７Ｃとした点と、Ｌ形移動具５ｄの一端が押し圧されることにより、そのＬ形移動具５ｄの他の一端が噴射管７Ｃとそれに取付けた噴射ステム２を倒してエアゾール容器１の内容物を噴射ステム２から噴射させ噴射管７Ｃで導いてその先端より噴射させることができる移動装置５Ｆとした点で、このように構成したサイドノック式エアゾール噴射装置６Ｆにしても、前記本発明の第１、３の実施の形態と同様な作用効果が得られるとともに、噴射管７Ｃの噴射口を様々な形状にできる。
なお、ノックボタン４の端部４ｂを移動装置５Ｆとし、その端部４ｂが直接噴射管７Ｃとそれに取付けた噴射ステム２を倒して内容物を噴射させてもよい。
【００１９】
図２１および図２２に示す本発明の第７の実施形態において、前記本発明の第４の実施の形態と主に異なる点は、本体３Ｅを分割し本体３Ｆと、その本体３Ｆに取付けることができる本体先部３Ｇとした点と、この本体３Ｆの内部にはストッパー３ａが設けられ、本体先部３Ｇの先端には先端孔３ｂが開けられている点と、一端を噴射ステム２に押し圧可能に被せて取付けた導管８Ａと、一端を導管８Ａにスライド可能に被せて取付け他端を先端孔３ｂを貫通して外に露出させた噴射先管９とした点と、本体３Ｆのサイド面に設けられた窓孔３ｄには、それを貫通してノックボタン４が本体３Ｆに取り付けられた枢支ピン４ａにより回動可能に取付けられている点と、導管８Ａに取り付けた移動具５ａとした点と、移動具５ａが移動することにより導管８Ａとそれに取付けた噴射ステム２をエアゾール容器１側に押してエアゾール容器１の内容物を噴射ステム２から噴射させ、導管８Ａと噴射先管９で導いて噴射先管９の先端から噴出させることができる移動装置５Ｇとした点で、このように構成したサイドノック式エアゾール噴射装置６Ｇにしても、前記本発明の第１、４の実施の形態と同様な作用効果が得られるとともに、導管８Ａの移動に影響されて噴射先管９の噴射口がブレることがなく、より精密な塗布ができる。また、噴射先管９の噴射口を様々な形状にできるとともに、噴射先管９を交換することもできる。
【００２０】
図２３および図２４に示す本発明の第８の実施形態において、前記本発明の第５の実施の形態と主に異なる点は、一端を噴射ステム２に被せて取付けるとともに、噴射ステム２に設けられたフランジ２ａに引くことが可能に係止片７ａ、７ａで取付けた導管８Ｂとした点と、一端を導管８Ｂにスライド可能に被せて取付け他端を先端孔３ｂを貫通して外に露出させた噴射先管９とした点と、導管８Ｂに取り付けた移動具５ａとした点と、その移動具５ａが移動することにより導管８Ｂとそれに取付けた噴射ステム２をエアゾール容器１側から引いてエアゾール容器１の内容物を噴射ステム２から噴射させ、導管８Ｂと噴射先管９で導いて噴射先管９の先端から噴出させることができる移動装置５Ｈとした点で、このように構成したサイドノック式エアゾール噴射装置６Ｈにしても、前記本発明の第１、２、５の実施の形態と同様な作用効果が得られるとともに、導管８Ｂの移動に影響されて噴射先管９の噴射口がブレることがなく、より精密な塗布ができる。また、噴射先管９の噴射口を様々な形状にできる。
【００２１】
図２５および図２６に示す本発明の第９の実施形態において、前記本発明の第６の実施の形態と主に異なる点は、一端を噴射ステム２に被せて取付けた導管８Ｃとした点と、一端を導管８Ｃにスライド可能に被せて取付け他端を先端孔３ｂを貫通して外に露出させた噴射先管９とした点と、Ｌ形移動具５ｄの一端が押し圧されることにより、そのＬ形移動具５ｄの他の一端が導管８Ｃとそれに取付けた噴射ステム２を倒してエアゾール容器１の内容物を噴射ステム２から噴射させ、導管８Ｃと噴射先管９で導いて噴射先管９の先端から噴出させることができる移動装置５１とした点で、このように構成したサイドノック式エアゾール噴射装置６１にしても、前記本発明の第１、３、６の実施の形態と同様な作用効果が得られるとともに、導管８Ｃの移動に影響されて噴射先管９の噴射口がブレることがなく、より精密な塗布ができる。また、噴射先管９の噴射口を様々な形状にできる。
なお、ノックボタン４の端部４ｂを移動装置５１とし、その端部４ｂが直接導管８Ｃとそれに取付けた噴射ステム２を倒して内容物を噴射させてもよい。
【００２２】
図２７および図２８に示す本発明の第１０の実施形態において、前記本発明の第７の実施の形態と主に異なる点は、エアゾール容器１を、空気を供給することができるポンプ１０を備えたスプレー容器１１とした点と、ポンプ１０の一部が本体３Ｄの底部を貫通して露出した点で、このように構成したサイドノック式エアゾール噴射装置６Ｊにしても、前記本発明の第１、４、７の実施の形態と同様な作用効果が得られるとともに、必要に応じてスプレー容器１１内に空気を送り込み内部圧を高めることにより内容物の噴射量を増やすことができる。
【００２３】
図２９に示す本発明の第１１の実施形態において、前記本発明の第８の実施の形態と主に異なる点は、エアゾール容器１を、空気を供給することができるポンプ１０を備えたスプレー容器１１とした点で、このように構成したサイドノック式エアゾール噴射装置６Ｋにしても、前記本発明の第１、２，５、８の実施の形態と同様な作用効果が得られるとともに、必要に応じてスプレー容器１１内に空気を送り込み内部圧を高めることにより内容物の噴射量を増やすことができる。
【００２４】
図３０に示す本発明の第１２の実施形態において、前記本発明の第９の実施の形態と主に異なる点は、エアゾール容器１Ａを、空気を供給することができるポンプ１０を備えたスプレー容器１１Ａとした点で、このように構成したサイドノック式エアゾール噴射装置６Ｌにしても、前記本発明の第１、３，６、９の実施の形態と同様な作用効果が得られるとともに、必要に応じてスプレー容器１１Ａ内に空気を送り込み内部圧を高めることにより内容物の噴射量を増やすことができる。
【００２５】
【発明の効果】
以上の説明から明らかなように、本発明にあたっては次に列挙する効果が得られる。
【００２６】
（１）請求項１記載の発明は、塗料、油脂、接着剤、剥離剤、薬剤等のいずれかの内容物が充填され、押すかあるいは引くかあるいは倒すことにより開弁させ内容物を内部圧により噴射させることができる噴射ステムを端壁に有する筆記具程度の太さのエアゾール容器と、このエアゾール容器を収容するかあるいは、前記エアゾール容器に取付けるかあるいは、前記エアゾール容器と一体形成し、前記噴射ステムを先端から露出させて外観を筆記具形に形成した本体と、この本体のサイド面に押し圧可能に取付けたノックボタンと、このノックボタンを押し圧することに連動して、前記噴射ステムを押すかあるいは引くかあるいは倒して、内容物を噴射させることができる移動装置とで構成されているので、本体を筆記具を持つように手で保持し、ノックボタンを押圧することにより噴射ステムの先端からエアゾール容器の内容物を噴射させることができ、筆記具で文字を書いたり絵を描くように塗料等を被塗布面に噴射し、狭い範囲に正確に塗布することや、小さな文字を書いたり細かな絵・細かなパターンを描くことができる。また、噴射量が少なくできるので、マスキングも小さくて済み、塗料等が無駄にならなく経済的である。また、油脂や接着剤、剥離剤、薬剤等を狭い範囲に塗布したり、精密機械の部品等にも塗布することができる。
【００２７】
（２）前記（１）によって、塗料、油脂、接着剤、剥離剤、薬剤等のいずれかの内容物を入れたサイドノック式エアゾール噴射装置を数種類用意しておくことによって、筆記具を変えるように手軽に取り換えて塗布することができる。
また、数種類のエアゾール容器を取り換えることによっても、内容物の種類を換えて手軽に塗布することができる。色違いの塗料を入れたサイドノック式エアゾール噴射装置を数本用意しておけば、色彩画が描ける。
【００２８】
（３）前記（１）によって、サイドノック式であるので、親指、人差し指、中指、薬指、小指のどの指でもノックボタンを押し圧することができ、作業に合わせて指を使い分けることや、１本の指が疲労したときにも他の指を使うことができ作業能率がよい。
【００２９】
（４）請求項２記載の発明は、塗料、油脂、接着剤、剥離剤、薬剤等のいずれかの内容物が充填され、押すかあるいは引くかあるいは倒すことにより開弁させ内容物を内部圧により噴射させることができる噴射ステムを端壁に有する筆記具程度の太さのエアゾール容器と、このエアゾール容器を収容するかあるいは、前記エアゾール容器に取付けるかあるいは、前記エアゾール容器と一体形成し、外観を筆記具形に形成した本体と、この本体内にあって一端を前記噴射ステムに取付け他端を前記本体の先端部を貫通して外に露出させ内容物を導いて噴射させることができる噴射管と、前記本体のサイド面に押し圧可能に取付けたノックボタンと、このノックボタンを押し圧することに連動して、前記噴射管とそれに取付けた前記噴射ステムを押すかあるいは引くかあるいは倒して内容物を噴射させることができる移動装置とで構成されているので、前記（１）〜（３）と同様な効果が得られるとともに、噴射管の噴射口を様々な形状にでき、噴射管を交換することもできる。これにより、内容物の噴射量を調整したり、噴射形状を変えてより塗布しやすくできる。
【００３０】
（５）請求項３記載の発明は、塗料、油脂、接着剤、剥離剤、薬剤等のいずれかの内容物が充填され、押すかあるいは引くかあるいは倒すことにより開弁させ内容物を内部圧により噴射させることができる噴射ステムを端壁に有する筆記具程度の太さのエアゾール容器と、このエアゾール容器を収容するかあるいは、前記エアゾール容器に取付けるかあるいは、前記エアゾール容器と一体形成し、外観を筆記具形に形成した本体と、この本体内にあって前記噴射ステムに取付け内容物を導くことができる導管と、この導管に一端をスライド可能に取付け他端を前記本体の先端部を貫通して外に露出させ内容物を導いて噴射させることができる噴射先管と、前記本体のサイド面に押し圧可能に取付けたノックボタンと、このノックボタンを押し圧することに連動して前記導管とそれに取付けた前記噴射ステムを押すかあるいは引くかあるいは倒して内容物を噴射させることができる移動装置とで構成されているので、前記（１）〜（３）と同様な効果が得られるとともに、噴射先管の噴射口を様々な形状にでき、噴射先管を交換することもできる。これにより、内容物の噴射量を調整したり、噴射形状を変えてより塗布しやすくできる。また、噴射先管の先端がブレないので、より精密な描画をすることができる。
【００３１】
（６）請求項４記載の発明は、請求項１、２、３に係わる発明であり、エアゾール容器を、空気を供給することができるポンプを備えたスプレー容器として構成されているので、前記（１）〜（５）と同様な効果が得られるとともに、必要に応じてスプレー容器内に空気を送り込み内部圧を高めることにより内容物の噴射量を増やすことができる。
【００３２】
（７）したがって、普段使い慣れた筆記具を使う要領で、このサイドノック式エアゾール噴射装置を使うことができ、簡単に使えて、正確に小さな字を書いたり、細かな絵を描いたり、細かなパターンを描いたり、狭い範囲に塗料等の内容物を塗布できる。ホビーや装身具等に色を塗ることや、車の部分塗装の修理や、爪に色を塗るネイルアートもできる。また、噴射量が少なくできるので、マスキングも小さくて済み、塗料等が無駄にならなく経済的である。精密機械の部品に注油することや、狭い部分に接着剤や剥離剤、薬剤を塗布することもできる。
噴射口の形状も塗布面に合わせて選択できる。
コストも安くできるので、色鉛筆を揃えるように、このサイドノック式エアゾール噴射装置を数色揃えておけば色彩画が描ける。本体は一つで内容物の異なるエアゾール容器やスプレー容器だけを取り換えて使うこともできる。
【図面の簡単な説明】
【図１】本発明の、第１の実施の形態の分解斜視図。
【図２】本発明の、第１の実施の形態の斜視図。
【図３】図２の、Ａ−Ａ線に沿う断面図。
【図４】図２の、Ａ−Ａ線に沿う移動装置の説明拡大断面図。
【図５】本発明の、第１の実施の形態の内容物を噴射する使用説明図。
【図６】本発明の、第２の実施の形態の分解斜視図。
【図７】本発明の、第２の実施の形態の斜視図。
【図８】図７の、Ｂ−Ｂ線に沿う断面図。
【図９】図７の、Ｂ−Ｂ線に沿う移動装置の説明拡大断面図。
【図１０】本発明の、第３の実施の形態の斜視図。
【図１１】図１０の、Ｃ−Ｃ線に沿う断面図。
【図１２】図１０の、Ｃ−Ｃ線に沿う移動装置の説明拡大断面図。
【図１３】本発明の、第４の実施の形態の分解斜視図。
【図１４】本発明の、第４の実施の形態の斜視図。
【図１５】図１４の、Ｄ−Ｄ線に沿う断面図。
【図１６】本発明の、第５の実施の形態の分解斜視図。
【図１７】本発明の、第５の実施の形態の斜視図。
【図１８】図１７の、Ｅ−Ｅ線に沿う断面図。
【図１９】本発明の、第６の実施の形態の斜視図。
【図２０】図１９の、Ｆ−Ｆ線に沿う断面図。
【図２１】本発明の、第７の実施の形態の分解斜視図。
【図２２】図２１の、Ｇ−Ｇ線に沿う組み立てた状態の断面図。
【図２３】本発明の、第８の実施の形態の斜視図。
【図２４】図２３の、Ｈ−Ｈ線に沿う断面図。
【図２５】本発明の、第９の実施の形態の斜視図。
【図２６】図２５の、Ｉ−Ｉ線に沿う断面図。
【図２７】本発明の、第１０の実施の形態の斜視図。
【図２８】図２７の、Ｊ−Ｊ線に沿う断面図。
【図２９】本発明の、第１１の実施の形態の斜視図。
【図３０】本発明の、第１２の実施の形態の斜視図。
【符号の説明】
１、１Ａ：エアゾール容器
１ａ：端壁
１ｂ：内容物
２：噴射ステム
２ａ：フランジ
３Ａ、３Ｂ、３Ｃ、３Ｄ、３Ｅ、３Ｆ：本体
３Ｇ：本体先部
３ａ：ストッパー
３ｂ：先端孔
３ｃ：エンドキャップ
３ｄ：窓孔
４：ノックボタン
４ａ：枢支ピン
４ｂ：端部
５Ａ、５Ｂ、５Ｃ、５Ｄ、５Ｅ、５Ｆ、５Ｇ、５Ｈ、５Ｉ：移動装置
５ａ：移動具
５ｂ：傾斜面
５ｃ：枢支ピン
５ｄ：Ｌ形移動具
６Ａ、６Ｂ、６Ｃ、６Ｄ、６Ｅ、６Ｆ、６Ｇ、６Ｈ、６Ｉ、６Ｊ、６Ｋ、６Ｌ：サイドノック式エアゾール噴射装置
７Ａ、７Ｂ、７Ｃ：噴射管
７ａ：係止片
８Ａ、８Ｂ、８Ｃ：導管
９：噴射先管
１０：ポンプ
１１、１１Ａ：スプレー容器
【図１】
2004123223.tif 000003
【図２】
2004123223.tif 000004
【図３】
2004123223.tif 000005
【図４】
2004123223.tif 000006
【図５】
2004123223.tif 000007
【図６】
2004123223.tif 000008
【図７】
2004123223.tif 000009
【図８】
2004123223.tif 000010
【図９】
2004123223.tif 000011
【図１０】
2004123223.tif 000012
【図１１】
2004123223.tif 000013
【図１２】
2004123223.tif 000014
【図１３】
2004123223.tif 000015
【図１４】
2004123223.tif 000016
【図１５】
2004123223.tif 000017
【図１６】
2004123223.tif 000018
【図１７】
2004123223.tif 000019
【図１８】
2004123223.tif 000020
【図１９】
2004123223.tif 000021
【図２０】
2004123223.tif 000022
【図２１】
2004123223.tif 000023
【図２２】
2004123223.tif 000024
【図２３】
2004123223.tif 000025
【図２４】
2004123223.tif 000026
【図２５】
2004123223.tif 000027
【図２６】
2004123223.tif 000028
【図２７】
2004123223.tif 000029
【図２８】
2004123223.tif 000030
【図２９】
2004123223.tif 000031
【図３０】
2004123223.tif 000032